(57)【要約】【課題】コイルと磁界発生部の間に形成される間隙を精密に調整する上で有利な光ピックアップおよび光ディスク装置並びに光ピックアップの製造方法を提供する。【解決手段】磁界発生部２４とコイル２２との間を通るベース１２の箇所に形成した開口１２１０を通してベース１２の下方から磁界発生部２４とコイル２２の間に光Ｌを照射し、かつ、ベース１２の上方からカメラ４０およびモニタ４２を用いて磁界発生部２４とコイル２２とを視認しつつ、磁界発生部２４とコイル２２の間に形成される間隔Ｇが所定の間隔となるように、ベース１２に対する支持ブロック１８の位置調整を行う。【選択図】        図１
2007102934.tif 000002
【特許請求の範囲】
【請求項１】
べースと、
対物レンズを保持するレンズホルダと、
前記ベースの上面に支持され前記対物レンズの光軸方向であるフォーカス方向と直交するタンジェンシャル方向に前記レンズホルダと間隔をおいて配設された支持ブロックと、
前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、
前記レンズホルダに設けられたコイルと、
前記ベースの上面の上方に配設され前記光軸と直交する方向において前記コイルとの間に間隔をおいて対向するよう設けられた磁界発生部とを備え、
前記磁界発生部で発生する磁界と電流が供給されることにより前記コイルで発生する磁界との磁気相互作用により前記レンズホルダを前記トラッキング方向または前記フォーカス方向に移動させる光ピックアップであって、
前記磁界発生部と前記コイルとの間を通る前記ベースの箇所に、前記磁界発生部と前記コイルに光を照射するための開口を形成した、
ことを特徴とする光ピックアップ。
【請求項２】
前記開口は、その軸心が前記フォーカス方向と平行する方向に延在していることを特徴とする請求項１記載の光ピックアップ。
【請求項３】
光ディスクを保持して回転駆動する駆動手段と、
前記駆動手段によって回転駆動する光ディスクに対し記録および／または再生用の光ビームを照射し、前記光ディスクで反射された反射光ビームを検出する光ピックアップとを有する光ディスク装置であって、
前記光ピックアップは、
べースと、
対物レンズを保持するレンズホルダと、
前記ベースの上面に支持され前記対物レンズの光軸方向であるフォーカス方向と直交するタンジェンシャル方向に前記レンズホルダと間隔をおいて配設された支持ブロックと、
前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、
前記レンズホルダに設けられたコイルと、
前記ベースの上面の上方に配設され前記光軸と直交する方向において前記コイルとの間に間隔をおいて対向するよう設けられた磁界発生部とを備え、
前記磁界発生部で発生する磁界と電流が供給されることにより前記コイルで発生する磁界との磁気相互作用により前記レンズホルダを前記トラッキング方向または前記フォーカス方向に移動させるように構成され、
前記磁界発生部と前記コイルとの間を通る前記ベースの箇所に、前記磁界発生部と前記コイルに光を照射するための開口を形成した、
ことを特徴とする光ディスク装置。
【請求項４】
前記開口は、その軸心が前記フォーカス方向と平行する方向に延在していることを特徴とする請求項３記載の光ディスク装置。
【請求項５】
べースと、
対物レンズを保持するレンズホルダと、
前記ベースの上面に支持され前記対物レンズの光軸方向であるフォーカス方向と直交するタンジェンシャル方向に前記レンズホルダと間隔をおいて配設された支持ブロックと、
前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、
前記レンズホルダに設けられたコイルと、
前記ベースの上面の上方に配設され前記光軸と直交する方向において前記コイルとの間に間隔をおいて対向するよう設けられた磁界発生部とを備え、
前記磁界発生部で発生する磁界と電流が供給されることにより前記コイルで発生する磁界との磁気相互作用により前記レンズホルダを前記トラッキング方向または前記フォーカス方向に移動させる光ピックアップの製造方法であって、
前記磁界発生部と前記コイルとの間を通る前記ベースの箇所に開口を形成し、
前記ベースの下方から前記開口を通して前記磁界発生部と前記コイルの間に光を照射し、
前記ベースの上方からカメラにより前記磁界発生部と前記コイルを撮像するとともに、撮像した画像をモニタに表示し、
前記モニタに表示された画像を視認しつつ前記磁界発生部と前記コイルの間に形成される間隔が所定の間隔となるように、前記ベースに対する前記支持ブロックの位置調整を行い、
前記位置調整が完了した後、前記支持ブロックを前記ベースに固定する、
ことを特徴とする光ピックアップの製造方法。
【請求項６】
前記光の照射は、前記フォーカス方向と平行する方向になされることを特徴とする請求項５記載の光ピックアップの製造方法。
【発明の詳細な説明】
【技術分野】
【０００１】
本発明は、光ディスクに信号の記録や再生を行う光ピックアップおよびそのような光ピックアップを有する光ディスク装置並びに光ピックアップの製造方法に関する。
【背景技術】
【０００２】
ＤＶＤ（Ｄｉｇｉｔａｌ  Ｖｅｒｓａｔｉｌｅ  Ｄｉｓｋ）などの光ディスクに対して信号の記録あるいは再生あるいは記録および再生を行う光ピックアップがある。
図８に示すように、このような光ピックアップ１０Ａは、べース１２と、対物レンズ１４を保持するレンズホルダ１６と、ベース１２の上面に支持された支持ブロック１８と、レンズホルダ１６と支持ブロック１８とを連結し支持ブロック１８に対してレンズホルダ１６をトラッキング方向とフォーカス方向に移動可能に支持するサスペンションワイヤ２０と、レンズホルダ１６に設けられたコイル２２と、ベース１２の上面の上方に配設されコイル２２との間に間隔をおいて対向するよう設けられた磁界発生部２４とを備えている（特許文献１参照）。
そして、磁界発生部２４で発生する磁界と電流が供給されることによりコイル２２で発生する磁界との磁気相互作用により、レンズホルダ１６はトラッキング方向またはフォーカス方向に移動する。すなわち、磁界発生部２４とコイル２２とサスペンションワイヤ２０によりいわゆる２軸アクチュエータが構成されている。
ところで、このような２軸アクチュエータの特性のばらつきを抑制し安定化を図るために、コイル２２と磁界発生部２４の間に形成される間隔Ｇが所定の間隔となるようにベース１２に対する支持ブロック１８の位置調整を行う必要がある。
従来、このような位置調整は、ベース１２の外側に配置した照射用ライト２からコイル２２と磁界発生部２４の間に側方から光Ｌを照射した状態で、コイル２２と磁界発生部２４の上方からコイル２２と磁界発生部２４の輪郭を視認しつつ行っている。
【特許文献１】特開２００１−１１８２６６号公報
【発明の開示】
【発明が解決しようとする課題】
【０００３】
しかしながら、従来方法では、光源２から照射される光Ｌの一部がベース１２の部分に遮られるなどして、コイル２２と磁界発生部２４の輪郭の箇所に十分な光をあてることが難しく、それら輪郭の箇所を明瞭に視認する上で不利があることから、間隔Ｇのばらつきが生じやすく、２軸アクチュエータの特性のばらつきを抑制し安定化を図る上で不利があった。
特に、近年、２軸アクチュエータの高感度化に伴って間隔Ｇが縮小していることから、間隔Ｇをより精密に調整することが必要となってきている。
本発明はこのような事情に鑑みなされたもので、その目的はコイルと磁界発生部の間に形成される間隙を精密に調整する上で有利な光ピックアップおよび光ディスク装置並びに光ピックアップの製造方法を提供することにある。
【課題を解決するための手段】
【０００４】
上記目的を達成するために本発明は、べースと、対物レンズを保持するレンズホルダと、前記ベースの上面に支持され前記対物レンズの光軸方向であるフォーカス方向と直交するタンジェンシャル方向に前記レンズホルダと間隔をおいて配設された支持ブロックと、前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、前記レンズホルダに設けられたコイルと、前記ベースの上面の上方に配設され前記光軸と直交する方向において前記コイルとの間に間隔をおいて対向するよう設けられた磁界発生部とを備え、前記磁界発生部で発生する磁界と電流が供給されることにより前記コイルで発生する磁界との磁気相互作用により前記レンズホルダを前記トラッキング方向または前記フォーカス方向に移動させる光ピックアップであって、前記磁界発生部と前記コイルとの間を通る前記ベースの箇所に、前記磁界発生部と前記コイルに光を照射するための開口を形成したことを特徴とする。
また、本発明は、光ディスクを保持して回転駆動する駆動手段と、前記駆動手段によって回転駆動する光ディスクに対し記録および／または再生用の光ビームを照射し、前記光ディスクで反射された反射光ビームを検出する光ピックアップとを有する光ディスク装置であって、前記光ピックアップは、べースと、対物レンズを保持するレンズホルダと、前記ベースの上面に支持され前記対物レンズの光軸方向であるフォーカス方向と直交するタンジェンシャル方向に前記レンズホルダと間隔をおいて配設された支持ブロックと、前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、前記レンズホルダに設けられたコイルと、前記ベースの上面の上方に配設され前記光軸と直交する方向において前記コイルとの間に間隔をおいて対向するよう設けられた磁界発生部とを備え、前記磁界発生部で発生する磁界と電流が供給されることにより前記コイルで発生する磁界との磁気相互作用により前記レンズホルダを前記トラッキング方向または前記フォーカス方向に移動させるように構成され、前記磁界発生部と前記コイルとの間を通る前記ベースの箇所に、前記磁界発生部と前記コイルに光を照射するための開口を形成したことを特徴とする。
また、本発明は、べースと、対物レンズを保持するレンズホルダと、前記ベースの上面に支持され前記対物レンズの光軸方向であるフォーカス方向と直交するタンジェンシャル方向に前記レンズホルダと間隔をおいて配設された支持ブロックと、前記レンズホルダと前記支持ブロックとを連結し前記支持ブロックに対して前記レンズホルダを前記フォーカス方向および前記タンジェンシャル方向に直交するトラッキング方向と前記フォーカス方向に移動可能に支持するサスペンションワイヤと、前記レンズホルダに設けられたコイルと、前記ベースの上面の上方に配設され前記光軸と直交する方向において前記コイルとの間に間隔をおいて対向するよう設けられた磁界発生部とを備え、前記磁界発生部で発生する磁界と電流が供給されることにより前記コイルで発生する磁界との磁気相互作用により前記レンズホルダを前記トラッキング方向または前記フォーカス方向に移動させる光ピックアップの製造方法であって、前記磁界発生部と前記コイルとの間を通る前記ベースの箇所に開口を形成し、前記ベースの下方から前記開口を通して前記磁界発生部と前記コイルの間に光を照射し、前記ベースの上方からカメラにより前記磁界発生部と前記コイルを撮像するとともに、撮像した画像をモニタに表示し、前記モニタに表示された画像を視認しつつ前記磁界発生部と前記コイルの間に形成される間隔が所定の間隔となるように、前記ベースに対する前記支持ブロックの位置調整を行い、前記位置調整が完了した後、前記支持ブロックを前記ベースに固定することを特徴とする。
【発明の効果】
【０００５】
本発明によれば、磁界発生部とコイルとの間を通るベースの箇所に形成した開口を通してベースの下方から磁界発生部とコイルの間に光を照射し、かつ、ベースの上方からカメラおよびモニタを用いて磁界発生部とコイルとを視認するようにしたので、磁界発生部の輪郭とコイルの輪郭とを極めて明瞭に視認することができ、したがって、磁界発生部とコイルの間に形成される間隔が所定の間隔となるように、ベースに対する支持ブロックの位置調整を容易にかつ精密に行う上で有利となる。
【発明を実施するための最良の形態】
【０００６】
次に本発明の実施の形態について説明する。
まず、本発明の原理について説明する。
図１は本発明の光ピックアップの製造方法の原理を示す説明図である。なお、以下の説明では、図８と同様または同一の部分には同一の符号を付して説明する。
図１に示すように、本発明の光ピックアップ１０Ａでは、磁界発生部２４とコイル２２との間を通るベース１２の箇所に開口１２１０が形成されている。
そして、ベース１２の下方から開口１２１０を通して磁界発生部２４とコイル２２の間に光源４から光Ｌを照射し、ベース１２の上方からカメラ４０およびカメラ４０で撮像された画像を表示するモニタ４２を用いて磁界発生部２４の輪郭とコイル２２の輪郭とを視認しつつ磁界発生部２４とコイル２２の間に形成される間隔Ｇが所定の間隔となるように、ベース１２に対する支持ブロック１８の位置調整を行う。
したがって、ベース１２の下方から開口１２０２を通して磁界発生部２４とコイル２２の間に光源４から照射される光Ｌによって磁界発生部２４の輪郭とコイル２２の輪郭とを明瞭に視認することができ、間隔Ｇの調整を簡単にかつ精密に行うことができることから間隔Ｇのばらつきを抑制する上で有利となる。
【０００７】
次に、本実施の形態の光ピックアップ１０について詳細に説明する。
まず、本実施の形態の光ピックアップを組み込んだ光ディスク装置１００から図６を参照して説明する。
図６は、本実施の形態の光ピックアップを組み込んだ光ディスク装置１００の構成を示すブロック図である。
光ディスク装置１００は、光ディスク１０１に対して光ピックアップ１０により再生用の光ビームを照射し、光ディスク１０１から反射された光ビームを検出することによりデータを再生し、または、光ディスク１０１に対して光ピックアップ１０により記録用の光ビームを照射することでデータを記録するものである。
光ディスク装置１００は、光ディスク１０１を回転駆動する駆動手段としてのスピンドルモータ１０２と、光ディスク１０１に対してデータの読み書きを行う光ピックアップ１０と、スピンドルモータ１０２の駆動および光ピックアップ１０の移動を行うドライバ１０４と、ドライバ１０４を制御するドライバ制御部１０６と、光ピックアップ１０内の光検出素子（フォトディテクタ）から出力される各種の信号に基づいてフォーカスエラー信号、トラッキングエラー信号、ＲＦ信号などを生成するアンプ１０８と、アンプ１０８からの出力信号に基づく復調および誤り訂正処理などの所定の処理を行う信号処理部１１０と、信号処理部１１０および制御部１１２からの信号をＤ／Ａ変換して入出力部１１４に入力するＤ／Ａコンバータ１１６と、装置の操作情報などを入力するとともに、装置の動作状態を表示する入出力部１１４と、光ディスク１０１に記録された信号を再生信号として受け取るとともに、データを信号処理部１１０により変調して光ピックアップ１０内の光源（レーザダイオード）を駆動してドライバ制御部１０６にサーボ情報を出力する記録制御回路１１８と、ドライバ制御部１０６にフォーカスエラー信号、トラッキングエラー信号を出力してサーボを全体的にコントロールする制御部１１２とを有している。
【０００８】
次に、本実施の形態の光ピックアップについて説明する。
図２は本実施の形態の光ピックアップ１０の平面図、図３は図２のＡ矢視図である。
図４はレンズホルダ１６と磁界発生部２４部分の拡大平面図、図５は図４のＡ矢視図である。
図２乃至図５に示すように、光ピックアップ１０は、べース１２と、ヨーク１３と、対物レンズ１４と、レンズホルダ１６と、調整プレート１７と、支持ブロック１８と、サスペンションワイヤ２０と、コイル２２と、磁界発生部２４と、ベース１２の下方に配置された不図示の光源および光検出素子などを含んで構成されている。
なお、本発明において、フォーカス方向Ｚとは光ディスク１０１の厚さ方向をいい、トラッキング方向Ｘとは光ディスク１０１の半径方向をいい、タンジェンシャル方向（接線方向）Ｙとは光ディスク１０１の円周の接線方向、すなわちフォーカス方向Ｚおよびトラッキング方向Ｘの双方と直交する方向をいう。
【０００９】
べース１２は、トラッキング方向Ｘに沿った幅と、この幅よりも大きい寸法でタンジェンシャル方向Ｙに沿った長さを有している。
支持ブロック１８は、ベース１２のタンジェンシャル方向Ｙの端部に配置されている。
レンズホルダ１６は、支持ブロック１８から突出するサスペンションワイヤ２０の先部で支持されている。
磁界発生部２４は、レンズホルダ１６のタンジェンシャル方向Ｙの両側に配置されている。
【００１０】
支持ブロック１８の幅方向の両端でフォーカス方向Ｚに間隔をおいた２箇所にそれぞれサスペンションワイヤ２０の基部が取着されている。
レンズホルダ１６には対物レンズ１４が組み込まれ、レンズホルダ１６のトラッキング方向Ｘにおける両端でフォーカス方向Ｚに間隔をおいた２箇所にそれぞれサスペンションワイヤ２０の先部が取着され、レンズホルダ１６は支持ブロック１８上でサスペンションワイヤ２０を介してトラッキング方向Ｘとフォーカス方向Ｚに移動可能に支持されている。
コイル２２は、タンジェンシャル方向Ｙにおけるレンズホルダ１６の両端でトラッキング方向Ｘに間隔をおいた２箇所にそれぞれ取着されている。
図４、図５に示すように、コイル２２の先部は、フォーカス方向Ｚおよびトラッキング方向Ｘを通る面と平行する平面２２Ａ上を延在している。
【００１１】
ヨーク１３はベース１２上に取着され、ヨーク１３はレンズホルダ１６の下方でタンジェンシャル方向Ｙに延在する基板部１３０２と、基板部１３０２の両端から起立する起立部１３０４とを備えている。
各起立部１３０４にそれぞれマグネット２４０２が取着され、これによりタンジェンシャル方向Ｙにおけるレンズホルダ１６の両端にマグネット２４０２が臨むことになる。
本実施の形態では、磁界発生部２４は起立部１３０４とマグネット２４０２とにより構成されており、図４、図５に示すように、マグネット２４０２がレンズホルダ１６に臨む先部は、フォーカス方向Ｚおよびトラッキング方向Ｘを通る面と平行する平面２４Ａで形成されている。
【００１２】
また、コイル２２の先部とマグネット２４０２の先部との間に臨むベース１２およびヨーク１３の基板部１３０２の箇所に、コイル２２の先部およびマグネット２４０２の先部に光を照射するための開口１２１０が形成されている。
開口１２１０の軸心はフォーカス方向Ｚと平行する方向に延在している。
なお、ベース１２の下方に光源および光検出素子などが配置されることから、前記光源からの光を対物レンズ１４に導くための開口１２１２がベース１２およびヨーク１３の基板部１３０２に形成されており、本実施の形態では、ベース１２とヨーク１３の基板部１３０２が特許請求の範囲のベースに相当している。
【００１３】
そして、コイル２２に駆動信号を供給することにより、コイル２２で発生する磁界と磁界発生部２４で発生する磁界との磁気相互作用によりレンズホルダ１６がトラッキング方向Ｘまたはフォーカス方向Ｚに移動される。これにより、対物レンズ１４によって形成された再生用または記録用の光ビームによる光スポットが光ディスク１０１のトラック上を正確に追従することになる。
したがって、本実施の形態では、コイル２２、磁界発生部２４、サスペンションワイヤ２０などによりいわゆる２軸アクチュエータが構成されている。
【００１４】
次に組み立てについて説明する。
まず、図２に示すように、マグネット２４０２が取着されたヨーク１３をベース１２上にねじ１３０２で取り付け、ベース１２上にヨーク１３を固定し、このベース１２を治具に固定する。なお、ベース１２を固定する治具を説明の便宜上、第１の治具とする。
また、調整プレート１７を支持ブロック１８にねじ１８０２で止めて、調整プレート１７を治具に固定する。なお、調整プレート１７を固定する治具を説明の便宜上、第２の治具とする。第１の治具及び第２の治具への固定は、従来公知の様々な市販品や治具を用いて行われる。
この状態で、ベース上でタンジェンシャル方向Ｙにおいて、レンズホルダ１６のタンジェンシャル方向Ｙにおける両端のコイル２２の先部にそれぞれマグネット２４０２の先部が臨んでいる。
【００１５】
次に、図１に示すように、ベース１２の下方で開口１２１０からコイル２２の先部とマグネット２４０２の先部に光源４の光を照射する。本実施の形態では、光源４の光Ｌを開口１２１０を通してコイル２２の先部とマグネット２４０２の先部に向けてフォーカス方向Ｚと平行する方向に照射する。
そして、ベース１２の上方からカメラ４０によりそれらコイル２２の先部とマグネット２４０２の先部を撮像し、モニタ４２の表示画面４２０２に映し出す。
図７に示すように、予め、モニタ４２の表示画面４２０２には、マグネット２４０２の先部を合致させるべき第１調整ラインＬ１と、コイル２２の先部を合致させるべき第２調整ラインＬ２とが所定の間隔をおいて平行をなすように表示されている。
また、表示画面４２０２には、マグネット２４０２のトラッキング方向Ｘにおける側部を合致させるべき第３調整ラインＬ３と、レンズホルダ１６のトラッキング方向Ｘにおける側部を合致させるべき第４調整ラインＬ４とが表示されている。
なお、第１乃至第４調整ラインＬ１乃至Ｌ４の表示画面４２０２への表示は、従来公知の画像データ生成回路によって生成された画像データをカメラ４０で撮像された画像に合成することでなされる。
そして、このような表示画面４２０２に、カメラ４０により撮像されたコイル２２の先部とマグネット２４０２の先部が映し出される。
【００１６】
調整に際して、まず、マグネット２４の先部の輪郭が第１調整ラインＬ１と合致するように、上記の第１の治具を用いてベース１２をタンジェンシャル方向Ｙに移動させるとともに、フォーカス方向Ｚと平行な軸回りに揺動させる。
次いで、コイル２２の先部の輪郭が第２調整ラインＬ２と合致するように、上記の第２の治具を用いて支持ブロック１８が固定された調整プレート１７をベース１２上でタンジェンシャル方向Ｙに移動させるとともに、フォーカス方向Ｚと平行な軸回りに揺動させる。
これにより、マグネット２４の先部とコイル２２の先部との間隔Ｇが前記所定の間隔に調整される。
【００１７】
次いで、マグネット２４の側部の輪郭が第３調整ラインＬ３と合致するように、上記の第１の治具を用いてベース１２をトラッキング方向Ｘと平行に移動させる。
そして、コイル２２の側部の輪郭が第４調整ラインＬ４と合致するように、上記の第２の治具を用いて支持ブロック１８が固定された調整プレート１７をトラッキング方向Ｘと平行にベース１２上で移動させる。
これにより、マグネット２４とコイル２２のトラッキング方向Ｘにおける相対的位置が調整される。
このようにして磁界発生部２４とコイル２２の間に形成される間隔Ｇが前記所定の間隔となるように、ベース１２に対する支持ブロック１８の位置調整が完了したならば、支持ブロック１８に固定された調整プレート１７とベース１２とをはんだで固定する。
最後に上記の第１の治具、第２の治具を取り外し、光ピックアップ１０の組み立てが完了する。
【００１８】
以上説明したように本実施の形態によれば、磁界発生部２４とコイル２２との間を通るベース１２の箇所に形成した開口１２１０を通してベース１２の下方から磁界発生部２４とコイル２２の間に光Ｌを照射したので、ベース１２の上方からカメラ４０およびモニタ４２を用いて磁界発生部２４の輪郭とコイル２２の輪郭とを極めて明瞭に視認することができ、したがって、磁界発生部２４とコイル２２の間に形成される間隔Ｇが所定の間隔となるように、ベース１２に対する支持ブロックの位置調整を容易にかつ精密に行う上で有利となる。
そのため、間隔Ｇのばらつきを効果的に抑制できるので、２軸アクチュエータの特性のばらつきを抑制し安定化を図る上で有利となり、特に、２軸アクチュエータの高感度化に伴って間隔Ｇが縮小される場合において特性のばらつきを抑制し安定化を図る上で有利となる。
また、磁界発生部２４とコイル２２との間を通るベース１２の箇所に形成した開口１２１０を通してベース１２の下方から磁界発生部２４とコイル２２の間に光Ｌをフォーカス方向Ｚと平行する方向に照射できるので、２軸アクチュエータの高感度化に伴って磁界発生部２４の外形寸法が拡大した場合であっても、コイル２２と磁界発生部２４の輪郭の箇所に十分な光量をあてることできベース１２に対する支持ブロックの位置調整を容易にかつ精密に行う上で有利となる。
また、間隔Ｇのばらつきを効果的に抑制できることから、光ピックアップ１０における間隔Ｇの検査を例えば全数検査から抜き取り検査にすることができ製造コストを削減する上で有利となる。
また、磁界発生部２４の輪郭とコイル２２の輪郭とを極めて明瞭に視認することができることから、モニタ４２の表示画面４２０２の大きさを縮小しても作業性を確保することができるので、作業現場におけるモニタ４２の小型化、省スペース化を図る上で有利となる。
【図面の簡単な説明】
【００１９】
【図１】本発明の光ピックアップの製造方法の原理を示す説明図である。
【図２】本実施の形態の光ピックアップ１０の平面図である。
【図３】図２のＡ矢視図である。
【図４】レンズホルダ１６と磁界発生部２４部分の拡大平面図である。
【図５】図４のＡ矢視図である。
【図６】本実施の形態の光ピックアップを組み込んだ光ディスク装置１００の構成を示すブロック図である。
【図７】モニタ４２の表示画面４２０２の説明図である。
【図８】従来の光ピックアップの製造方法の説明図である。
【符号の説明】
【００２０】
１０……光ピックアップ、１２……べース、１４……対物レンズ、１６……レンズホルダ、１７……調整プレート、１８……支持ブロック、２０……サスペンションワイヤ、２２……コイル、２４……磁界発生部、１２１０……開口、４０……カメラ、４２……モニタ、１００……光ディスク装置。
【図１】
2007102934.tif 000003
【図２】
2007102934.tif 000004
【図３】
2007102934.tif 000005
【図４】
2007102934.tif 000006
【図５】
2007102934.tif 000007
【図６】
2007102934.tif 000008
【図７】
2007102934.tif 000009
【図８】
2007102934.tif 000010